(57)【特許請求の範囲】
【請求項１】
時分割多重方式により相手局と無線接続するもので、同一フレーム内の複数のタイムスロットを通じて複数の相手局と通信可能な移動無線端末装置において、
複数の相手局からそれぞれ受信したタイムスロットより、それぞれ同期情報を検出する同期情報検出手段と、
この同期情報検出手段にて検出した複数の同期情報間の誤差を検出する誤差検出手段と、
前記同期情報検出手段にて検出した複数の同期情報のうち、同一受信フレーム内で最先の受信スロットから検出したものに基づいて、この受信フレームに続く送信フレーム内の前記相手局に宛てたタイムスロットを送信するための基準クロックを生成するクロック生成手段と、
前記誤差検出手段にて検出した誤差に基づいて、前記クロック生成手段にて生成された基準クロックのタイミング補正を行うことにより、前記送信フレーム内において前記クロック生成手段にて生成した基準クロックとは異なる相手局に宛てたタイムスロットを送信するための基準クロックを生成するクロック補正手段と
を具備することを特徴とする移動無線端末装置。
【発明の詳細な説明】
【０００１】
【発明の属する技術分野】
この発明は、例えばＰＨＳ（Personal Handyphone System）やＰＤＣ（Public Digital Cellar）のシステムで用いられるＴＤＭＡ（Time Division Multiple Access）方式の移動無線端末装置であって、特に１フレーム中で複数の通信相手局と通信することが可能な移動無線端末装置に関する。
【０００２】
【従来の技術】
周知のように、近時、ＴＤＭＡ方式の移動無線端末装置にあっては、図３に示すように２つの通信相手局、例えば２つの基地局との間で、同一フレーム中でそれぞれにタイムスロットを割り当てて通信することを可能としている。
【０００３】
このような移動無線端末装置では、２つの基地局と通信するために、各基地局毎の送受信タイミングに同期した基準クロックを生成する必要があるが、従来においては上記基準クロックを生成する基準クロック生成回路を１つしか持たないものがあった。
【０００４】
図４は、２つの通信相手局の送受信タイミング間に、１３μ［ｓｅｃ］の差がある場合のタイミングチャートを示している。この図に示すように送受信タイミング間に差があると、いずれか一方の通信相手局からの受信スロットとより抽出した同期情報に基づいて、基準クロックを生成するため、残る一方の送受信が不可能になる場合がある。
【０００５】
そこで、従来は、図５に示すように、２つの基準クロック生成回路１０１ａ，１０１ｂを設けて、これらの回路でそれぞれ対応する通信相手局の送受信タイミングに同期した基準クロックを生成する。
【０００６】
そして、一方の通信相手局に関しては、受信データの解析を受信データ解析回路１０２ａにて行い、そして送信データの生成を送信データ生成回路１０３ａで行う。
【０００７】
一方、他方の通信相手局に関しては、受信データの解析を受信データ解析回路１０２ｂにて行い、そして送信データの生成を送信データ生成回路１０３ｂで行う。
【０００８】
しかしながら、このような構成では、２つの基準クロック生成回路１０１ａ，１０１ｂを設けるため、小型化が望まれる移動無線端末装置にあって、回路規模が増大や消費電力の増大が問題となった。
【０００９】
【発明が解決しようとする課題】
従来の移動無線端末装置では、同一フレーム内で２つの通信相手局と通信を行う場合に、正常な通信が行えなかったり、回路規模が増大や消費電力の増大が伴う構成が必要となるという問題があった。
【００１０】
この発明は上記の問題を解決すべくなされたもので、回路規模や消費電力を増大させることなく、同一フレーム内で２つの通信相手局と安定した通信を行うことが可能な移動無線端末装置を提供することを目的とする。
【００１１】
上記の目的を達成するために、この発明は、時分割多重方式により相手局と無線接続するもので、同一フレーム内の複数のタイムスロットを通じて複数の相手局と通信可能な移動無線端末装置において、複数の相手局からそれぞれ受信したタイムスロットより、それぞれ同期情報を検出する同期情報検出手段と、この同期情報検出手段にて検出した複数の同期情報間の誤差を検出する誤差検出手段と、前記同期情報検出手段にて検出した複数の同期情報のうち、同一受信フレーム内で最先の受信スロットから検出したものに基づいて、この受信フレームに続く送信フレーム内の前記相手局に宛てたタイムスロットを送信するための基準クロックを生成するクロック生成手段と、前記誤差検出手段にて検出した誤差に基づいて、前記クロック生成手段にて生成された基準クロックのタイミング補正を行うことにより、前記送信フレーム内において前記クロック生成手段にて生成した基準クロックとは異なる相手局に宛てたタイムスロットを送信するための基準クロックを生成するクロック補正手段とを具備して構成するようにした。
【００１２】
上記構成の移動無線端末装置では、例えば２つの通信局と通信する場合に、クロック生成手段にて、第１の通信相手に宛てたタイムスロットを送信するための第１の基準クロックを生成し、第２の通信相手に宛てたタイムスロットを送信するための第２の基準クロックについては、誤差検出手段にて検出した誤差に基づいて第１の基準クロックをタイミング補正することで生成するようにしている。
【００１３】
したがって、上記構成の移動無線端末装置によれば、１つのクロック生成手段が生成する基準クロックの基づいて、複数の相手局にそれぞれ宛てたタイムスロットを送信するための基準クロックをそれぞれ生成できるので、回路規模や消費電力を増大させることなく、同一フレーム内で複数の相手局宛てに安定した送信を行うことができる。
【００２０】
【発明の実施の形態】
以下、図面を参照して、この発明の一実施形態について説明する。
図１は、この発明の一実施形態に係わる移動無線端末装置の送受信部の構成を示すものである。この送受信部は、基準クロック生成回路１０１と、受信データ解析回路１０２ａ，１０２ｂと、送信データ生成回路１０３ａ，１０３ｂと、タイミング補正回路１０４とを備えている。
【００２１】
空間より受信した無線周波信号を、図示しない無線部にてベースバンドのディジタル信号に復調した後、この信号から、２つの基地局ＣＳ１，ＣＳ２より当装置宛てに送信される２つのタイムスロット内の受信データＲ１，Ｒ２をそれぞれ抽出する。
【００２２】
そして、無線部にて抽出した２つのタイムスロットの受信データＲ１，Ｒ２を、基準クロック生成回路１０１と、受信データ解析回路１０２ａ，１０２ｂとにそれぞれ入力する。
【００２３】
基準クロック生成回路１０１は、上記２つの受信データＲ１，Ｒ２のうち、受信データＲ１に含まれる同期情報に基づいて、第１の基準クロックを生成する。そしてまた、基準クロック生成回路１０１は、上記同期情報と、残る一方の受信データＲ２に含まれる同期情報とを比較して、両者の誤差を検出し、誤差情報として、上記第１の基準クロックとともに、タイミング補正回路１０４に出力する。
【００２４】
タイミング補正回路１０４は、上記誤差情報に基づいて、基準クロック生成回路１０１より入力された第１の基準クロックを同期補正して、第２の基準クロックを生成する。
【００２５】
そして、タイミング補正回路１０４は、第１の基準クロックを受信データ解析回路１０２ａと、送信データ生成回路１０３ａに出力し、一方、第２の基準クロックを受信データ解析回路１０２ｂと、送信データ生成回路１０３ｂに出力する。
【００２６】
受信データ解析回路１０２ａは、無線部より入力される２つの受信データＲ１，Ｒ２のうち、受信データＲ１を上記第１の基準クロックを用いて解析し、復号する。
【００２７】
同様に、受信データ解析回路１０２ｂは、無線部より入力される２つの受信データＲ１，Ｒ２のうち、受信データＲ２を上記第２の基準クロックを用いて解析し、復号する。
【００２８】
送信データ生成回路１０３ａは、上記受信データＲ１を送信した基地局ＣＳ１宛ての送信データＴ１を、上記第１の基準クロックを用いて生成する。
同様に、送信データ生成回路１０３ｂは、上記データＲ２を送信した基地局ＣＳ２宛ての送信データＴ２を、上記第２の基準クロックを用いて生成する。
【００２９】
以上のような構成により、移動無線端末装置の送受信部では、基準クロック生成回路１０１にて、基地局ＣＳ１との送受信に関わる第１の基準クロックを生成するとともに、基地局ＣＳ２との送受信に関わる第２の基準クロックと上記第１の基準クロックとのタイミングの誤差情報を検出する。そして、タイミング補正回路１０４にて、上記誤差情報と第１の基準クロックを用いて、第２の基準クロックを生成するようにしている。
【００３０】
したがって、上記構成の移動無線端末装置によれば、基準クロックを発振する基準クロック生成回路１０１だけで、２つの基準クロックを生成することができるので、図２に示すように、２つの基地局ＣＳ１，ＣＳ２との間で、それぞれに合ったタイミングで通信することができる。
【００３１】
尚、この発明は上記実施の形態に限定されるものではない。その他、この発明の要旨を逸脱しない範囲で種々の変形を施しても同様に実施可能であることはいうまでもない。
【００３２】
【発明の効果】
以上述べたように、この発明では、例えば２つの通信局と通信する場合に、クロック生成手段にて、第１の通信相手とタイムスロットを送受信するための第１の基準クロックを生成し、第２の通信相手とタイムスロットを送受信するための第２の基準クロックについては、誤差検出手段にて検出した誤差に基づいて第１の基準クロックをタイミング補正することで生成するようにしている。
【００３３】
したがって、この発明によれば、１つのクロック生成手段が生成する基準クロックの基づいて、複数の相手局とタイムスロットをそれぞれ送受信するために用いる基準クロックをそれぞれ生成できるので、回路規模や消費電力を増大させることなく、同一フレーム内で複数の相手局と安定した通信を行うことが可能な移動無線端末装置を提供できる。
【図面の簡単な説明】
【図１】この発明に係わる移動無線端末装置の送受信部の一実施形態の構成を示す回路ブロック図。
【図２】図１に示した移動無線端末装置の送受信部における送受信タイミングを説明するための図。
【図３】２つの基地局との同時通信を説明するための概念図。
【図４】従来の移動無線端末装置の不具合を説明するための図。
【図５】従来の移動無線端末装置の送受信部の構成を示す回路ブロック図。
【符号の説明】
１０１…基準クロック生成回路
１０２ａ，１０２ｂ…受信データ解析回路
１０３ａ，１０３ｂ…送信データ生成回路
１０４…タイミング補正回路
【図１】
0003983943.tif 000002
【図２】
0003983943.tif 000003
【図３】
0003983943.tif 000004
【図４】
0003983943.tif 000005
【図５】
0003983943.tif 000006